(57)【要約】【課題】      パンティストッキングのように肌に密着する被服について、衛生上の問題を解消しながら、実際に着用したときと同様の状態を繰り返し確認することができる被服の擬似試着具を提供する。【解決手段】  可撓性を有する板状体（２）の表面（２ａ）に被服の生地片（３）を重合することにより形成され、かつ、板状体（２）の裏面（２ｃ）を試着者の身体（Ｌ）にあてがって湾曲させることにより、生地片（３）で試着者の身体（Ｌ）を覆うように装着可能であることを特徴とする。【選択図】図１
2007063698.tif 000002
【特許請求の範囲】
【請求項１】
可撓性を有する板状体の表面に被服の生地片を重合することにより形成され、かつ、
前記板状体の裏面を試着者の身体にあてがって湾曲させることにより、前記生地片で試着者の身体の周りを覆うように装着可能であることを特徴とする被服の擬似試着具。
【請求項２】
請求項１に記載の被服の擬似試着具において、
前記生地片は、前記板状体に着脱可能に取り付けられていることを特徴とする被服の擬似試着具。
【請求項３】
請求項１又は２に記載の被服の擬似試着具において、
前記生地片は、その両端が前記板状体の湾曲端に固定されており、前記板状体を湾曲させることにより緊張状態となることを特徴とする被服の擬似試着具。
【請求項４】
請求項１乃至３のいずれかに記載の被服の擬似試着具において、
前記板状体は、試着者の身体の周りに沿うように予め湾曲させられていることを特徴とする被服の擬似試着具。
【請求項５】
請求項１乃至４のいずれかに記載の被服の擬似被着具において、
前記板状体は、透明材料で形成されていることを特徴とする被服の擬似試着具。
【請求項６】
請求項１乃至４のいずれかに記載の被服の擬似被着具において、
前記板状体は、肌色に似せた色に着色されていることを特徴とする被服の擬似試着具。
【請求項７】
可撓性材料で形成されており、筒軸方向に延びるスリットを有する筒状体と、該筒状体の表面を覆うように設けられる被服の生地片と、を備えてなり、
前記スリットを広げて前記筒状体を拡径することにより、試着者の身体の周りを覆うように装着可能であることを特徴とする被服の擬似試着具。
【請求項８】
請求項１乃至７のいずれかに記載の被服の擬似試着具において、
前記生地片は、パンティストッキングを切り取って形成したものであり、
前記生地片で試着者の脚部の周りが覆われるように装着可能であることを特徴とする被服の擬似試着具。
【発明の詳細な説明】
【技術分野】
【０００１】
本発明は、パンティストッキング等の試着に使用する被服の擬似試着具に関する。
【背景技術】
【０００２】
被服の店頭販売では、客に販売商品を試着させて実際に着用した状態を姿見で確認させる販売方法が一般的に採用されている。しかし、パンティストッキングのように肌に密着する商品の場合、複数客に繰り返し試着させることは衛生上問題がある。その一方、試着のたびに新しい商品を使うことは経費面で難しい。そこで、着用したときに近い状態で商品の色柄等を確認できるように、編目を拡張させてパンティストッキングを固定できる枠状の見本展示用具（例えば、特許文献１参照。）や、パンティストッキングを履かせるマネキンのような見本展示用具（例えば、特許文献２参照。）が採用されている。
【特許文献１】実公昭４７−１３７１８号公報
【特許文献２】特開２００３−４０６号公報
【発明の開示】
【発明が解決しようとする課題】
【０００３】
しかしながら、客の立場からすれば、単に商品の色柄等を確認しただけでは購入判断材料として十分でなく、自分の服装や肌の色に合わせた状態も確認したいと考えていることが多い。そこで、本発明は、パンティストッキングのように肌に密着した状態で着用する被服について、衛生上の問題を解消しながら、実際に着用したときと同様の状態を繰り返し確認することができる被服の擬似試着具を提供する。
【課題を解決するための手段】
【０００４】
請求項１の発明は、可撓性を有する板状体の表面に被服の生地片を重合することにより形成され、かつ、前記板状体の裏面を試着者の身体にあてがって湾曲させることにより、前記生地片で試着者の身体の周りを覆うように装着可能であることを特徴とする被服の擬似試着具を提供する。
【０００５】
請求項２の発明は、請求項１に記載の被服の擬似試着具において、前記生地片は、前記板状体に着脱可能に取り付けられていることを特徴とする被服の擬似試着具を提供する。
【０００６】
請求項３の発明は、請求項１又は２に記載の被服の擬似試着具において、前記生地片は、その両端が前記板状体の湾曲端に固定されており、前記板状体を湾曲させることにより緊張状態となることを特徴とする被服の擬似試着具を提供する。
【０００７】
請求項４の発明は、請求項１乃至３のいずれかに記載の被服の擬似試着具において、前記板状体は、試着者の身体の周りに沿うように予め湾曲させられていることを特徴とする被服の擬似試着具を提供する。
【０００８】
請求項５の発明は、請求項１乃至４のいずれかに記載の被服の擬似被着具において、前記板状体は透明材料で形成されていることを特徴とする被服の擬似試着具を提供する。
【０００９】
請求項６の発明は、請求項１乃至４のいずれかに記載の被服の擬似被着具において、前記板状体は肌色に似せた色に着色されていることを特徴とする被服の擬似試着具を提供する。
【００１０】
請求項７の発明は、可撓性材料で形成されており、筒軸方向に延びるスリットを有する筒状体と、該筒状体の表面を覆うように設けられる被服の生地片と、を備えてなり、前記スリットを広げて前記筒状体を拡径することにより、試着者の身体の周りを覆うように装着可能であることを特徴とする被服の擬似試着具を提供する。
【００１１】
請求項８の発明は、請求項１乃至７のいずれかに記載の被服の擬似試着具において、前記生地片は、パンティストッキングを切り取って形成したものであり、前記生地片で試着者の脚部の周りが覆われるように装着可能であることを特徴とする被服の擬似試着具を提供する。
【発明の効果】
【００１２】
本発明の請求項１に記載の被服の擬似試着具によれば、下記の優れた効果を奏し得る。可撓性を有する板状体に生地片を重合してなり、生地片で試着者の身体の周りを覆うように装着可能であるため、試着者がその生地片で形成された被服を実際に着用したのと同様の状態を姿見等で確認することができる。また、試着者の身体にあてがわせるのは、生地片自体ではなく、生地片が重合された板状体であるため、板状体を抗菌材料で形成したり、試着者の肌が触れる板状体の裏面を試着のたびに拭いたりして、衛生上の問題点を解消することができる。その結果、複数の試着者に繰り返し試着させることが可能となる。
【００１３】
本発明の請求項２に記載の被服の擬似試着具によれば、請求項１に記載の被服の擬似試着具が奏し得る上記の効果に加えて、下記の優れた効果を奏し得る。生地片が板状体に着脱可能に取り付けられているため、生地片を交換することで複数商品の着用状態を確認することができる。また、板状体を使い捨てできる安価な材料で製作すれば、試着者が替わるたびに肌に触れる部分を新しく交換することもできる。
【００１４】
本発明の請求項３に記載の被服の擬似試着具によれば、請求項１又は２に記載の被服の擬似試着具が奏し得る上記の効果に加えて、下記の優れた効果を奏し得る。生地片の両端を板状体の湾曲端に固定することにより、板状体の湾曲時に生地片を緊張状態にすることができる。その結果、肌に密着させて着用する被服（例えばパンティストッキング）について実際の着用状態により近い状態を確認することができる。
【００１５】
本発明の請求項４に記載の被服の擬似試着具によれば、請求項１乃至３のいずれかに記載の被服の擬似試着具が奏し得る上記の効果に加えて、下記の優れた効果を奏し得る。板状体が試着者の身体の周りに沿うように予め湾曲させられているので、容易に装着することができる。
【００１６】
本発明の請求項５に記載の被服の擬似試着具によれば、請求項１乃至４のいずれかに記載の被服の擬似試着具が奏し得る上記の効果に加えて、下記の優れた効果を奏し得る。板状体が透明材料で形成されているので、シースルー状の生地片を試着する場合に、板状体の下側に現れる試着者の肌色とコーディネートすることができる。
【００１７】
本発明の請求項６に記載の被服の擬似試着具によれば、請求項１乃至４のいずれかに記載の被服の擬似試着具が奏し得る上記の効果に加えて、下記の優れた効果を奏し得る。板状体が肌色に似せた色に着色されているので、シースルー状の生地片を試着する場合に、すでに着用している被服を脱衣しなくても肌色とコーディネートすることができる。
【００１８】
本発明の請求項７に記載の被服の擬似試着具によれば、下記の優れた効果を奏し得る。筒状体とその表面を覆う生地片とからなり、試着者の身体の周りを覆うように装着可能であるため、試着者が生地片で形成された被服を実際に着用したのと同様の状態を姿見等で確認することができる。また、筒状体を可撓性材料で形成するとともに、スリットを広げて拡径することにより身体に装着可能としたので、容易に身体に沿わせることができる。さらに、試着者の身体を直接覆うのは、生地片自体ではなく、筒状体であるため、筒状体を抗菌材料で形成したり、試着者の肌が触れる筒状体の裏面を試着のたびに拭いたりすることで、衛生上の問題点を解消することができ、その結果、複数の試着者に繰り返し試着させることができるものである。
【００１９】
本発明の請求項８に記載の被服の擬似試着具によれば、請求項１乃至７のいずれかに記載の被服の擬似試着具が奏し得る上記の効果に加えて、下記の優れた効果を奏し得る。着用者の肌に密着するパンティストッキングについて、実際に試着したときと同様の状態で着用状態を確認することができ、スカート等の服装とコーディネートすることができる。
【発明を実施するための最良の形態】
【００２０】
以下、本発明の実施の形態について添付図面を参照しながら説明する。図１は、本実施形態に係る被服（パンティストッキング）の擬似試着具１の構成を示す図である。図２は、本実施形態に係るパンティストッキングの擬似試着具１を試着者の身体（脚部Ｌ）に装着して姿見Ｍに映している状態を示す図である。図３は、本実施形態に係るパンティストッキングの擬似試着具１に使用される生地片３の製作方法を説明する図である。
【００２１】
（パンティストッキングの擬似試着具１）
本実施形態に係るパンティストッキングの擬似試着具１は、図１に示されるように、予め筒状に湾曲させられた板状体２と、板状体２の表面２ａに重合した状態で着脱可能に取り付けられるパンティストッキングの生地片３とで形成され、図２に示されるように、生地片３で試着者の脚部Ｌの周りを覆うように装着させることにより、試着者がパンティストッキングを実際に着用したときと同様の状態を呈することができる。これにより、試着者が着用している他の被服（例えばスカートＳ）や試着者の肌の色にパンティストッキングを合わせた状態を、姿見Ｍに映して確認することができる。
【００２２】
（板状体２）
板状体２は、可撓性を有する無色透明の樹脂材料で筒状に形成されるとともに筒軸方向に延びるスリット２ｂを備えている。したがって、板状体２を、スリット２ｂ部分で広げるように撓ませて（拡径させて）、裏面２ｃを試着者の脚部Ｌにあてがった後、元の湾曲させられた状態に戻すことにより、図２に示されるように、試着者の脚部Ｌの周りを覆うように装着することができる。特に、板状体２の湾曲状態における内径を試着者の脚部Ｌの外径よりも小さめに設定しておけば、板状体２が脚部Ｌを軽く締め付けて、下方へのずれ落ちを防止することができる。板状体２の湾曲端には、生地片３を着脱自在に取り付けるための面ファスナー２１・・２１が設けられている。
【００２３】
（生地片３）
生地片３は、図３に示されるように、パンティストッキングＰの脚部に相当する筒状部分を切り取り、一枚布状に切り開くことにより形成される。切り開かれた一枚布の左右両端をそれぞれ折り返して縫った折り返し部分３１，３１には、板状体２の湾曲端に設けられる面ファスナー２１・・２１と接合される面ファスナー３２・・３２が設けられている。板状体２に取り付けられた生地片３は、板状体２を湾曲させることにより、面ファスナー３２・・３２で固定される折り返し部分３１，３１が引っ張られるように寸法設定されている。これにより、パンティストッキングＰを実際に着用したときと同様に、生地片３が脚部Ｌの周りに密着した緊張状態を再現することができる。なお、面ファスナー２１・・２１及び面ファスナー３２・・３２は、パンティストッキングＰの着用状態を確認するうえでは目障りであるが、図２に示されるように、姿見Ｍに映らない陰の位置にセットすることで対応できる。
【００２４】
（パンティストッキングの擬似試着具１の特徴点）
本実施形態に係るパンティストッキングの擬似試着具１は、上記のように構成される結果として、下記第一乃至第六の特徴点を有している。
【００２５】
第一に、本実施形態に係るパンティストッキングの擬似試着具１は、可撓性を有する板状体２の表面２ａにパンティストッキングＰから切り取った生地片３を重合してなり、図３に示されるように、生地片３で試着者の脚部Ｌの周りを覆うように装着することができるという特徴点を有している。その結果、試着者が生地片３と同じ生地からなるパンティストッキングＰを実際に着用したのと同様の状態を姿見等で確認することができる。したがって、試着者自身のスカートやワンピース等の被服とコーディネートすることができる。
【００２６】
第二に、本実施形態に係るパンティストッキングの擬似試着具１は、生地片３自体ではなく、生地片３が重合された板状体２を試着者の脚部Ｌにあてがって着用するという特徴点を有している。したがって、板状体２を抗菌材料で形成したり、試着者の肌が触れる板状体２の裏面２ｃを試着のたびに拭いたりして、ストッキングを試着させる場合に生じる衛生上の問題点を解消することができる。その結果として、複数の試着者に繰り返し試着させることが可能となる。
【００２７】
第三に、本実施形態に係るパンティストッキングの擬似試着具１は、生地片３が、面ファスナー２１・・２１及び面ファスナー３２・・３２で、板状体２に対して着脱可能であるという特徴点を有している。その結果、複数種類のパンティストッキングについて生地片３を用意しておき、適宜付け替えすることで複数商品の着用状態を確認することができる。また、板状体２を安価な材料で製作して、試着のたびに新品に交換すれば、他人の肌に密着したものを不潔と感じる試着者の抵抗感を解消することもできる。
【００２８】
第四に、本実施形態に係るパンティストッキングの擬似試着具１は、生地片３が、左右両端の折り返し部分３１，３１が板状体２の湾曲端に固定されており、板状体２を湾曲させることにより緊張状態となるという特徴点を有している。その結果、肌に密着させて着用するパンティストッキングについて、実際の着用状態により近い状態を確認することができる。
【００２９】
第五に、本実施形態に係るパンティストッキングの擬似試着具１は、板状体２が、試着者の脚部Ｌの周りに沿う筒状体を形成するように予めに湾曲させられているという特徴点を有している。その結果、板状体２を脚部Ｌに沿わせるように巻き付けたりする作業が必要なく、特別な予備知識がなくても容易に装着することができる。なお、板状体２の内径を試着者の脚部Ｌの外径よりも小さく設定して、板状体２で脚部Ｌを軽く締め付けることで、バンド等の固定具がなくてもずれ落ちないように保持することができる。
【００３０】
第六に、本実施形態に係るパンティストッキングの擬似試着具１は、板状体２が、無色透明の樹脂材料で形成されているという特徴点を有している。その結果、パンティストッキングを形成するシースルー状の生地片を試着する場合に、無色透明の板状体２を通してその下側に現れる試着者の肌色とコーディネートすることができる。
【００３１】
（上記実施形態の変形例）
上記実施形態では、パンティストッキングＰから切り取った生地片３で脚部Ｌの周りが覆われるようにして、パンティストッキングの着用状態を確認可能とした場合について説明したが、本発明は、パンティストッキング以外の被服について適用しても良く、脚部Ｌ以外の身体部分に着用する被服について適用しても良い。なお、生地片３は、脚Ｌの周りの全体が覆われる必要はなく、姿見に映し出される範囲のみを覆うことができる程度の大きさであれば良い。
【００３２】
上記実施形態では、板状体２を、筒状を形成するように予め湾曲させておいて、脚部Ｌを覆わせるようにしたが、これに限らず、例えば板状体を平坦に形成しておき、装着時に初めて身体の周りを覆うように湾曲変形させても良い。また、上記実施形態では、板状体２を脚部Ｌの外径よりも小径の筒状に形成して、ずれ落ちないようにしたが、これに加えて、あるいはこれに代えて、バンド等の固定具を使用しても良い。
【００３３】
上記実施形態では、板状体２を無色透明の材料で形成したが、これに代えて、肌色に似せた色に着色した材料で形成しても良い。これにより、試着者自身のパンティストッキングが試着した生地片の下方に透けて見えることを防止できる。したがって、試着者は自分のパンティストッキングを脱衣する必要がなくなり、速やかに試着できるものである。なお、様々な肌の色に対応するために複数の色合いの板状体を用意して、試着者が自分の肌の色に近い色を選択できるようにすると良い。
【００３４】
その他、本発明の被服の擬似試着具は、上記した実施の形態に限定されるものではなく、本発明の要旨を逸脱しない範囲内において種々変更を加え得ることは勿論である。
【図面の簡単な説明】
【００３５】
【図１】本実施形態に係るパンティストッキングの擬似試着具の構成を示す図。
【図２】本実施形態に係るパンティストッキングの擬似試着具を試着者の脚部に装着して姿見に映している状態を示す図。
【図３】本実施形態に係るパンティストッキングの擬似試着具に使用される生地片の製作方法を説明する図。
【符号の説明】
【００３６】
１    擬似試着具
２    板状体
２ａ    表面
２ｂ    スリット
２ｃ    裏面
３    生地片
【図１】
2007063698.tif 000003
【図２】
2007063698.tif 000004
【図３】
2007063698.tif 000005